(57)【要約】      （修正有）【課題】無線ＩＣタグの本来の機能を阻害することがなく、また、高圧水洗浄や塗装等の過酷な環境条件下で使用される建設・土木機械用等として好適な無線ＩＣタグホルダーを提供する。【解決手段】無線ＩＣタグホルダー１は、高圧水洗浄や塗装等の過酷な環境条件下で使用される取付対象物としての例えばショベルカーの一部に密着させる端面側に、前記ショベルカーに関する所要の情報を記録・発信する無線ＩＣタグ１０用の収容凹部３を備えるセラミック材からなる立体形状のホルダー本体２と、このホルダー本体における前記収容凹部以外の箇所に配置されて取付対象物にホルダー本体を固着するようにした複数の固着部４とにより構成する。【選択図】図１
0003151044.tif 000002
【実用新案登録請求の範囲】
【請求項１】
取付対象物に密着させる端面側に、前記取付対象物に関する所要の情報を記録・発信する無線ＩＣタグ用の収容凹部を備える立体形状のホルダー本体と、
このホルダー本体における前記収容凹部以外の箇所に配置した前記取付対象物への固着部と、
を有することを特徴とする無線ＩＣタグホルダー。
【請求項２】
高圧水洗浄や塗装等の過酷な環境条件下で使用される取付対象物としての建設・土木機械等の一部に密着させる端面側に、前記建設・土木機械等に関する所要の情報を記録・発信する無線ＩＣタグ用の収容凹部を備えるセラミック材からなる立体形状のホルダー本体と、
このホルダー本体における前記収容凹部以外の箇所に配置されて建設・土木機械等にホルダー本体を固着するようにした複数の固着部と、
を有することを特徴とする無線ＩＣタグホルダー。
【請求項３】
高圧水洗浄や塗装等の過酷な環境条件下で使用される取付対象物としての建設・土木機械等の一部に対向させる端面側に、前記建設・土木機械等に関する所要の情報を記録・発信する無線ＩＣタグ用の収容凹部を備えるセラミック材からなる立体形状のホルダー本体と、
このホルダー本体における前記収容凹部以外の箇所に配置されて建設・土木機械等にホルダー本体を固着するようにした複数の固着部と、
前記ホルダー本体の端面側外周部と前記建設・土木機械等の一部との間に介在させるパッキンと、
を有することを特徴とする無線ＩＣタグホルダー。
【考案の詳細な説明】
【技術分野】
【０００１】
本考案は、無線ＩＣタグホルダーに関し、詳しくは、特にレンタルで使用され、必要に応じて高圧水洗浄や塗装等の過酷な環境条件下で使用される建設・土木機械等の分野に適用して好適な無線ＩＣタグホルダーに関するものである。
【背景技術】
【０００２】
従来、レンタルで使用され、必要に応じて汚れを除去するための水洗浄が実施されるクレーン車、ショベルカー等の建設・土木機械等の分野においては、個々の建設・土木機械等のレンタル業務管理体制として、紙伝票に機械等の固有番号、貸出日、返却日、損傷の有無等のような所要の情報を手書き記載する方式が多く採用されており、レンタル業務管理体制の能率向上が望まれているところである。
【０００３】
近年では、無線ＩＣタグ(ＲＦＩＤ：radio frequency identification )が各種物品の効率的な管理を行なうために多くの分野で採用されている。
このような無線ＩＣタグを取付対象物の適宜箇所に取り付けるための無線ＩＣタグホルダーとしては、無線ＩＣタグの本来の機能を阻害するような材質を採用することは許されない。
一方、建設・土木機械等の水洗浄は、高圧の水を吹き付け汚れ部分を一挙に洗浄する高圧水洗浄方式が殆どである。
このような分野に使用される無線ＩＣタグホルダーとしては、高圧水洗浄や塗装等の過酷な環境条件下での使用に耐え得る構造が要請される。
【０００４】
特許文献１には、ＩＣタグと、内壁面に嵌合凹部を形成し、外壁面に嵌合凸部を形成したＩＣタグを収容するケース本体と、外壁面に嵌合凸部を形成したケース本体を被覆するケース蓋体とを有し、両面テープを用いて機器等に貼り付けることで実用に供するようにしたパチンコ遊技機、複写機等の機器の分野に適用されるＩＣタグ収容体が提案されている。
【０００５】
この特許文献１のＩＣタグ収容体の場合、両面テープを用いて機器等に貼り付ける構成であり、高圧水洗浄や塗装等の過酷な環境条件下での使用に耐え得る点までは考慮されていない。
【先行技術文献】
【特許文献】
【０００６】
【特許文献１】特開２００６−７９２０２号公報
【考案の概要】
【考案が解決しようとする課題】
【０００７】
本考案が解決しようとする問題点は、無線ＩＣタグの本来の機能を阻害することがなく、また、高圧水洗浄や塗装等の過酷な環境条件下で使用される建設・土木機械用等として採用し得るような無線ＩＣタグホルダーが存在しない点である。
【課題を解決するための手段】
【０００８】
本考案にかかる無線ＩＣタグホルダーは、取付対象物に密着させる端面側に、前記取付対象物に関する所要の情報を記録・発信する無線ＩＣタグ用の収容凹部を備える立体形状のホルダー本体と、このホルダー本体における前記収容凹部以外の箇所に配置した前記取付対象物への固着部と、を有することを最も主要な特徴とする。
【考案の効果】
【０００９】
請求項１、２記載の考案によれば、セラミック材を原料とするホルダー本体を採用しているので、内部に収容する無線ＩＣタグとタグ情報処理システムとの間の無線通信機能を何等損なうことなく実行することが可能であり、また、例えばレンタルで使用される等々する建設・土木機械等の取付対象物に対してホルダー本体を固着する固着部を採用しているので、高圧水洗浄や塗装等の過酷な環境条件下での使用にも耐え得る無線ＩＣタグホルダーを提供することができる。
【００１０】
請求項３記載の考案によれば、請求項１、２記載の考案と同様な効果を奏し、かつ、より高圧水洗浄や塗装等の過酷な環境条件下での使用に対する耐水性に優れた無線ＩＣタグホルダーを提供することができる。
【図面の簡単な説明】
【００１１】
【図１】本考案の実施例に係る無線ＩＣタグホルダーを示す概略正面図である。
【図２】本実施例に係る無線ＩＣタグホルダーの概略平面図である。
【図３】本実施例に係る無線ＩＣタグを示す平面図である。
【図４】図１のＡ−Ａ線断面図である。
【図５】本実施例に係る無線ＩＣタグホルダーをショベルカーの外壁面に取り付けた状態を示す図である。
【図６】本考案の変形例である無線ＩＣタグホルダーを示す概略平面図である。
【考案を実施するための形態】
【００１２】
本考案は、無線ＩＣタグの本来の機能を阻害することがなく、高圧水洗浄や塗装等の過酷な環境条件下で使用される建設・土木機械用等として好適な無線ＩＣタグホルダーを提供するという目的を有するものである。
【００１３】
本考案に係る無線ＩＣタグホルダーは、高圧水洗浄や塗装等の過酷な環境条件下で使用される取付対象物としての建設・土木機械等の一部に密着させる端面側に、前記建設・土木機械等に関する所要の情報を記録・発信する無線ＩＣタグ用の収容凹部を備えるセラミック材からなる立体形状のホルダー本体と、このホルダー本体における前記収容凹部以外の箇所に配置されて建設・土木機械等にホルダー本体を固着するようにした複数の固着部と、を有する構成により上記目的を実現した。
【実施例】
【００１４】
以下に、本考案の実施例に係る無線ＩＣタグホルダー１について図面を参照して詳細に説明する。
【００１５】
本実施例に係る無線ＩＣタグホルダー１は、図１乃至図４に示すように、無線ＩＣタグ１０用の収容凹部３を備える略直方体形状の例えばセラミック材からなるホルダー本体２と、このホルダー本体２の前記収容凹部３以外の箇所である四隅部に配置した図示例ではネジ止着部又は固着部４と、を有している。
【００１６】
すなわち、前記無線ＩＣタグホルダー１は、詳細は後述する取付対象物２０に密着させる平坦な端面側に、無線ＩＣタグ１０用の丸孔状の収容凹部３を一定の深さで穿設している。
【００１７】
また、前記収容凹部３以外の箇所である四隅部に４個の皿ネジ用のネジ孔５を貫通状態に設け、かつ、各ネジ孔５を経て取付対象物２０に設けた受ネジ２０ａに対してホルダー本体２をネジ止めにより止着又は固着する４個のネジ６（皿ネジ）を備えることでネジ止着部又は固着部４を構成している。
【００１８】
前記ホルダー本体２を構成する材質はセラミック材を原料とし、外観色が白色で、曲げ強さ２５０ＭＰａ以上の強度を有するように形成したものを採用し、かつ、上下面ラップ仕上げとしたものである。
【００１９】
前記取付対象物２０としては、例えばレンタル業者からユーザにレンタル契約で貸し出されるとともに、必要に応じて汚泥等の汚れを除去するための高圧水洗浄や塗装等の過酷な条件が実施される建設・土木機械等、具体的にはショベルカー２１、クレーン車、ブルドーザー、バックホウ等の例を挙げることができる。
【００２０】
本実施例に係る無線ＩＣタグ１０は、図３に示すように、円盤状の基体１１にＩＣチップ１２、ループアンテナ１３等を搭載し、個々の取付対象物２０に関する固有番号、貸出日、返却日、損傷の有無等の所要の情報を記録可能又は発信可能に構成した公知のものである。
【００２１】
そして、図示しないが、タグリーダライタ、コンピュータ装置等を含むタグ情報処理システムにより、前記無線ＩＣタグ１０に対する所要の情報の記録又は読み取りを行なうように構成している。
【００２２】
図５は、本実施例に係る無線ＩＣタグホルダー１の収容凹部３内に前記無線ＩＣタグ１０を収容した状態で、この無線ＩＣタグホルダー１を取付対象物２０の一種としてのショベルカー２１の外壁面に前記ネジ止着部又は固着部４によってネジ止方式で取り付けた例を示すものである。
【００２３】
本実施例に係る無線ＩＣタグホルダー１は、上述したようなネジ止着部又は固着部４を採用したことによって、図示しないが高圧水洗浄機の吐出ノズルから噴出される例えば吐出水圧数百乃至千数百ｋｇ／ｃｍ２の高圧水による高圧水洗浄や塗装等の過酷な環境条件下で使用に耐え得る構造としている。
【００２４】
上述した本実施例に係る無線ＩＣタグホルダー１によれば、セラミック材を原料とするホルダー本体２の収容凹部３内に、個々の取付対象物２０に関する所要の情報を記録可能又は発信可能に構成した無線ＩＣタグ１０を収容し、取付対象物２０の外壁面に取り付ける構成としているので、図示しないタグリーダライタ、コンピュータ装置等を含むタグ情報処理システムとの間の無線通信機能を何等損なうことなく実行することが可能となる。
【００２５】
また、本実施例に係る無線ＩＣタグホルダー１によれば、上述した図示例のように、ホルダー本体２の四隅部に４個の皿ネジ用のネジ孔５を貫通状態に設け、各ネジ孔５を経て取付対象物２０に対してホルダー本体２をネジ止めにより止着又は固着する４個のネジ６を備えるネジ止着部又は固着部４を採用しているので、両面接着テープ等による貼着構造とは全く異なり、高圧水洗浄機の吐出ノズルから噴出される例えば吐出水圧数百乃至千数百ｋｇ／ｃｍ２の高圧水による高圧水洗浄や塗装等の過酷な環境条件下で使用に耐え得る無線ＩＣタグホルダー１とすることができる。
【００２６】
次に、図６を参照して、本考案の実施例に係る無線ＩＣタグホルダー１の変形例について説明する。
【００２７】
図６に示す変形例の無線ＩＣタグホルダー１Ａは、上述した無線ＩＣタグホルダー１と基本的には同一構成であるが、前記ホルダー本体２における取付対象物２０側の端面側外周部側に、四角枠状のゴム材等からなるパッキン７を介在したことが特徴であり、この他の構成は上述した無線ＩＣタグホルダー１の場合と同一である。
【００２８】
この変形例の無線ＩＣタグホルダー１Ａによれば、上述した無線ＩＣタグホルダー１の場合と同様な作用、効果を奏するとともに、取付対象物２０との間にパッキン７を介在させる構成であるため、より高圧水洗浄や塗装等の過酷な環境条件下で使用に対する耐水性に優れた無線ＩＣタグホルダー１Ａとすることができる。
【００２９】
なお、前記ホルダー本体２や無線ＩＣタグ１０の形態は、上述した場合に限定されるものではなく、ホルダー本体２として円盤状、六角形状等の形態、無線ＩＣタグ１０としては矩形状の形態等、種々のものを採用し得ることはいうまでもない。
【産業上の利用可能性】
【００３０】
本考案の無線ＩＣタグホルダーは、上述したレンタルされるショベルカー、クレーン車、ブルドーザー、バックホウ等の水洗浄される建設・土木機械等に対する無線ＩＣタグの取り付け用とする他、水洗浄されるダンプカー、トラックその他各種の産業機械等への無線ＩＣタグの取り付け用として広範に応用可能である。
【符号の説明】
【００３１】
１    無線ＩＣタグホルダー
１Ａ  無線ＩＣタグホルダー
２    ホルダー本体
３    収容凹部
４    固着部
５    ネジ孔
６    ネジ
７    パッキン
１０    無線ＩＣタグ
１１    基体
１２    ＩＣチップ
１３    ループアンテナ
２０    取付対象物
２０ａ  受ネジ
２１    ショベルカー
【図１】
0003151044.tif 000003
【図２】
0003151044.tif 000004
【図３】
0003151044.tif 000005
【図４】
0003151044.tif 000006
【図５】
0003151044.tif 000007
【図６】
0003151044.tif 000008